(57)【要約】【課題】ピックアップ装置のガイドシャフトを押圧するためのトーションバネの装着作業が簡単であり、然も、トーションバネの装着に必要な構造が従来よりも簡易となるディスクプレーヤを提供する。【解決手段】本発明に係るディスクプレーヤにおいて、ガイドシャフト40の端部は、トーションバネ７の付勢によって高さ調整ネジ48の先端面に押し付けられている。トーションバネ７は、コイル部71と、コイル部71の両端から伸びる第１脚部72及び第２脚部73と、第２脚部73の先端から伸びるＵ字状部74とを有し、コイル部71がベースシャーシ１によって支持された状態で、第１脚部72の先端部がガイドシャフト40をベースシャーシ１の表面に向けて押圧すると共に、Ｕ字状部75が、ベースシャーシ１の小孔10をベースシャーシ(１)の裏面側から表面側へ貫通して、Ｕ字状部74の先端75が小孔10の開口縁に係止されている。【選択図】図５
2007200515.tif 000002
【特許請求の範囲】
【請求項１】
ベースシャーシ(１)上にピックアップ装置(２)とターンテーブル(３)が搭載され、ピックアップ装置(２)が、ベースシャーシ(１)上に架設されたガイドシャフト(40)により案内されて、ターンテーブル(３)の半径方向に往復移動し、ターンテーブル(３)上のディスクから信号を再生するディスクプレーヤにおいて、
前記ガイドシャフト(40)の少なくとも一方の端部は、ベースシャーシ(１)に取り付けられた高さ調節機構によって受け止められると共に、ベースシャーシ(１)に取り付けられたトーションバネ(７)の付勢によって高さ調節機構に押し付けられており、該トーションバネ(７)は、コイル状に巻回されたコイル部(71)と、コイル部(71)の両端から伸びる第１脚部(72)及び第２脚部(73)と、第２脚部(73)の先端からＵ字状に伸びて終端するＵ字状部(74)とを有し、コイル部(71)がベースシャーシ(１)によって支持された状態で、第１脚部(72)の先端部がガイドシャフト(40)をベースシャーシ(１)の表面に向けて押圧すると共に、Ｕ字状部(75)が、ベースシャーシ(１)に開設された開口部をベースシャーシ(１)の裏面側から表面側へ貫通して、Ｕ字状部(74)の先端(75)が開口部の開口縁に係止されていることを特徴とするディスクプレーヤ。
【請求項２】
トーションバネ(７)のＵ字状部(74)は、第２脚部(73)を含むと共に第１脚部(72)と平行な面内を、コイル部(71)から離間する方向に屈曲している請求項１に記載のディスクプレーヤ。
【請求項３】
前記高さ調節機構は、ベースシャーシ(１)の裏面側から表面側へ貫通してベースシャーシ(１)に螺合する高さ調整ネジ(48)によって構成され、ガイドシャフト(40)の端部は、高さ調整ネジ(48)の先端面によって受け止められている請求項１又は請求項２に記載のディスクプレーヤ。
【発明の詳細な説明】
【技術分野】
【０００１】
本発明は、回転するディスクの半径方向にピックアップ装置を往復移動させて、該ディスクから信号を再生するディスクプレーヤに関するものである。
【背景技術】
【０００２】
従来、ディスクプレーヤにおいては、図６に示す如く、四隅にダンパー(18)が取り付けられたベースシャーシ(１)上に、ピックアップ装置(２)とターンテーブル(３)とが搭載されている。ベースシャーシ(１)上には、その中央開口(11)の両側に、２本のガイドシャフト(４)(40)が互いに平行に架設されており、該ガイドシャフト(４)(40)によってピックアップ装置(２)の往復移動が案内されている(特許文献１)。
【０００３】
具体的には、ベースシャーシ(１)には、中央開口(11)を包囲する４箇所に、４つのシャフト支持片(５)(５)(５)(50)が上向きに突設されており、図７に示す様に、シャフト支持片(５)に開設された縦孔(51)をガイドシャフト(40)の端部が貫通している。
【０００４】
又、図６に示す如く、ベースシャーシ(１)には、一方のガイドシャフト(40)の両端部と他方のガイドシャフト(４)の一端部とをそれぞれ受け止めて高さの調節を行なうための３本の高さ調整ネジ(48)が、ベースシャーシ(１)の裏面側から表面側へ貫通してベースシャーシ(１)に螺合しており、これらの高さ調整ネジ(48)の先端面によってシャフト端部が受け止められている。
【０００５】
ベースシャーシ(１)には更に、各シャフト支持片(５)の外側にバネ保持片(８)が突設されており、各バネ保持片(８)にトーションバネ(６)が取り付けられている。尚、バネ保持片(８)は、図７に示す如く水平板部(81)と傾斜板部(80)とから構成されている。
トーションバネ(６)は、コイル状に巻回されたコイル部(62)と、該コイル部(62)の両端から両側へ伸びる第１脚部(60)及び第２脚部(61)とを有している。例えば一方のガイドシャフト(40)については、ベースシャーシ(１)のバネ保持片(８)にトーションバネ(６)のコイル部(62)が取り付けられた状態で、第１脚部(60)がガイドシャフト(40)の端部をベースシャーシ(１)の表面に向けて押圧し、第２脚部(61)の先端部はベースシャーシ(１)の表面に係止されている。
【０００６】
従って、高さ調整ネジ(48)を回転させてガイドシャフト(40)の端部をトーションバネ(６)の付勢に抗して持ち上げることにより、該ガイドシャフト(40)の高さや水平度を調節することが出来る。同様に他方のガイドシャフト(４)についても、高さ調整ネジ(48)を回転させることにより、該ガイドシャフト(４)の高さや水平度を調節することが出来る。
【０００７】
図６に示す如く、２本のガイドシャフト(４)(40)には、ピックアップ装置(２)の両側に突設された軸受(20)(20)と嵌合子(21)とが摺動可能に係合している。
又、ベースシャーシ(１)にモータＭ２が設置され、該モータの出力軸にはネジ軸(17)が連結されている。そして、ベースシャーシ(１)の側部に突設されたラック部材(23)がネジ軸(17)と噛合している。
斯くして、モータＭ２が正逆に回転することにより、ピックアップ装置(２)がターンテーブル(３)の半径方向に往復移動し、この過程でターンテーブル(３)上のディスクから信号が再生されるのである。
【特許文献１】特開２００５−５０３９７号公報［G11B7/06］
【発明の開示】
【発明が解決しようとする課題】
【０００８】
ところで、図６及び図７に示す従来のディスクプレーヤの組立工程においては、ベースシャーシ(１)にトーションバネ(６)を取り付ける際、先ず図８(ａ)(ｂ)の如く、トーションバネ(６)のコイル部(62)をベースシャーシ(１)のバネ保持片(８)の水平板部(81)に挿通せしめると共に、第２脚部(61)をベースシャーシ(１)の表面に係止した後、第１脚部(60)を大きく弾性変位させて、シャフト支持片(５)の上端部に突設された突起(53)の上面に引っ掛けておく。
この状態で、シャフト支持片(５)の縦孔(51)にガイドシャフト(40)の端部を挿入し、最後にトーションバネ(６)の第１脚部(60)をシャフト支持片(５)の突起(53)から離脱させ、該第１脚部(60)によってガイドシャフト(40)をベースシャーシ(１)の表面に向けて押圧する。
これによって、トーションバネ(６)の装着が完了する。
【０００９】
しかしながら、従来のディスクプレーヤにおけるトーションバネ(６)の装着作業においては、図８(ｂ)の如く、第１脚部(60)を大きく弾性変位させる必要があるため、作業が困難であるばかりでなく、トーションバネ(６)の設計に余分な弾性変形を考慮せねばならないことや、シャフト支持片(５)の形状が複雑となって金型プレス工程の工数が増加すること等、種々の問題があった。
【００１０】
そこで本発明の目的は、トーションバネの装着作業が簡単であり、然も、トーションバネの装着に必要な構造が従来よりも簡易となるディスクプレーヤを提供することである。
【課題を解決するための手段】
【００１１】
本発明に係るディスクプレーヤにおいては、ベースシャーシ(１)上にピックアップ装置(２)とターンテーブル(３)が搭載され、ピックアップ装置(２)が、ベースシャーシ(１)上に架設されたガイドシャフト(40)により案内されて、ターンテーブル(３)の半径方向に往復移動し、ターンテーブル(３)上のディスクから信号を再生する。
ここで、前記ガイドシャフト(40)の少なくとも一方の端部は、ベースシャーシ(１)に取り付けられた高さ調節機構によって受け止められると共に、ベースシャーシ(１)に取り付けられたトーションバネ(７)の付勢によって高さ調節機構に押し付けられている。
【００１２】
トーションバネ(７)は、コイル状に巻回されたコイル部(71)と、コイル部(71)の両端から伸びる第１脚部(72)及び第２脚部(73)と、第２脚部(73)の先端からＵ字状に伸びて終端するＵ字状部(74)とを有し、コイル部(71)がベースシャーシ(１)によって支持された状態で、第１脚部(72)の先端部がガイドシャフト(40)をベースシャーシ(１)の表面に向けて押圧すると共に、Ｕ字状部(75)が、ベースシャーシ(１)に開設された開口部をベースシャーシ(１)の裏面側から表面側へ貫通して、Ｕ字状部(74)の先端(75)が開口部の開口縁に係止されている。
【００１３】
具体的構成において、トーションバネ(７)のＵ字状部(74)は、第２脚部(73)を含むと共に第１脚部(72)と平行な面内を、コイル部(71)から離間する方向に屈曲している。
【００１４】
又、前記高さ調節機構は、ベースシャーシ(１)の裏面側から表面側へ貫通してベースシャーシ(１)に螺合する高さ調整ネジ(48)によって構成され、ガイドシャフト(40)の端部は、高さ調整ネジ(48)の先端面によって受け止められている。
【００１５】
上記本発明のディスクプレーヤにおいて、トーションバネ(７)をベースシャーシ(１)に装着する作業は、ガイドシャフト(40)をベースシャーシ(１)上に架設した後、トーションバネ(７)のコイル部(71)をベースシャーシ(１)に取り付けると共に、第１脚部(72)をガイドシャフト(40)の端部に係止する。
【００１６】
この状態で、トーションバネ(７)の第２脚部(73)を押圧して、Ｕ字状部(74)をベースシャーシ(１)の開口部へ押し込む。これによって、Ｕ字状部(74)は、開き角度が小さくなる方向に弾性変形して、開口部を貫通することになり、開口部を通過すると同時に、Ｕ字状部(74)が弾性復帰により拡開して、Ｕ字状部(74)の先端(75)がベースシャーシ(１)の開口部の開口縁に係止されることになる。
【００１７】
また、トーションバネ(７)のコイル部(71)は第１脚部(72)と第２脚部(73)の開き角度が小さくなる方向に弾性変形し、その弾性復帰力によって、第１脚部(72)がガイドシャフト(40)の端部をベースシャーシ(１)の表面に向けて押圧する。
【発明の効果】
【００１８】
本発明に係るディスクプレーヤにおいては、トーションバネ(７)をベースシャーシ(１)に装着する作業が、トーションバネ(７)のコイル部(71)をベースシャーシ(１)に取り付けると共に第１脚部(72)をガイドシャフト(40)の端部に係止した状態で、第２脚部(73)を押圧して、Ｕ字状部(74)をベースシャーシ(１)の開口部へ押し込むだけで済むので、従来よりも作業が簡単であり、然も、ベースシャーシ(１)には単に開口部を開設するだけでよいので、従来よりも構造が簡易となる。
【発明を実施するための最良の形態】
【００１９】
以下、本発明の実施の形態につき、図面に沿って具体的に説明する。尚、図６に示す従来のディスクプレーヤの構成部材と同一の機能を有する構成部材には、同じ符号を付して一部の説明を省略する。
【００２０】
本発明に係るディスクプレーヤにおいては、図１に示す如く、枠体状の支持シャーシ(９)の中央部にベースシャーシ(１)が昇降可能に設置されており、昇降駆動機構(90)によって支持シャーシ(９)の昇降駆動が可能である。
ベースシャーシ(１)の四隅には図２の如くダンパー装着孔(13)が開設され、各ダンパー装着孔(13)に図１の如くダンパー(18)が装着されている。
【００２１】
ベースシャーシ(１)上には、ピックアップ装置(２)とターンテーブル(３)とが搭載されると共に、２本のガイドシャフト(４)(40)が架設されており、これらのガイドシャフト(４)(40)によってピックアップ装置(２)の往復移動が案内されている。
【００２２】
ベースシャーシ(１)には、図２に示す如く、一方のガイドシャフト(４)の一端部と他方のガイドシャフト(40)の両端部を支持するための３つのシャフト支持片(54)(54)(54)が上向きに突設されており、各シャフト支持片をシャフト端部が貫通している。
又、ベースシャーシ(１)には、各シャフト支持片(54)の近傍領域に、バネ保持片(82)が水平に突設されており、各バネ保持片(82)にトーションバネ(７)が取り付けられている。
【００２３】
トーションバネ(７)は、図３及び図４に示す様に、コイル状に巻回されたコイル部(71)と、コイル部(71)の両端から両側に伸びる第１脚部(72)及び第２脚部(73)と、第２脚部(73)の先端からＵ字状に伸びて終端するＵ字状部(74)とを有しており、第２脚部(73)は、２本の棹部(73a)(73b)をＬ字状に連結してなり、Ｕ字状部(74)は、第２脚部(73)を含むと共に第１脚部(72)と平行な面内を、コイル部(71)から離間する方向に屈曲している。
【００２４】
トーションバネ(７)は、図５(ｂ)に示す如く、コイル部(71)がベースシャーシ(１)のバネ保持片(82)によって支持された状態で、第１脚部(72)の先端部がガイドシャフト(40)をベースシャーシ(１)の表面に向けて押圧すると共に、Ｕ字状部(75)が、ベースシャーシ(１)に開設された小孔(10)をベースシャーシ(１)の裏面側から表面側へ貫通して、Ｕ字状部(74)の先端(75)が小孔(10)の開口縁に係止されている。
これによって、ガイドシャフト(40)の端部は、高さ調整ネジ(48)の先端面に押し付けられ、この状態で高さ調整ネジ(48)を回転させることにより、ガイドシャフト(40)の高さや傾斜が調節される。
【００２５】
トーションバネ(７)をベースシャーシ(１)に装着する作業は、ガイドシャフト(40)の端部をベースシャーシ(１)上のシャフト支持片(54)に挿入した後、図５(ａ)に示す様に、トーションバネ(７)のコイル部(71)をベースシャーシ(１)のバネ保持片(82)に取り付けると共に、第１脚部(72)をガイドシャフト(40)の上面に引っ掛ける。
【００２６】
この状態で、トーションバネ(７)の第２脚部(73)を上方に押圧して、Ｕ字状部(74)をベースシャーシ(１)の小孔(10)へ押し込む。これによって、Ｕ字状部(74)及び第２脚部(73)はそれぞれ、開き角度が小さくなる方向に弾性変形して、Ｕ字状部(74)が小孔(10)を貫通することになり、Ｕ字状部(74)が小孔(10)を通過すると同時に、Ｕ字状部(74)及び第２脚部(73)がそれぞれ弾性復帰により拡開して、図５(ｂ)の如くＵ字状部(74)の先端(75)がベースシャーシ(１)の小孔(10)の開口縁に係止されることになる。
【００２７】
また、図５(ａ)から(ｂ)の状態まで、トーションバネ(７)の第１脚部(72)と第２脚部(73)の開き角度が小さくなって、コイル部(71)が弾性変形する結果、コイル部(71)の弾性復帰力により、第１脚部(72)がガイドシャフト(40)の端部をベースシャーシ(１)の表面に向けて押圧するのである。
【００２８】
本発明に係るディスクプレーヤにおいては、トーションバネ(７)をベースシャーシ(１)に装着する作業が、トーションバネ(７)のコイル部(71)をベースシャーシ(１)に取り付けると共に第１脚部(72)をガイドシャフト(40)の端部に係止した状態で、第２脚部(73)を押圧して、Ｕ字状部(74)をベースシャーシ(１)の小孔(10)へ押し込むだけで済むので、従来よりも作業が簡単であり、然も、ベースシャーシ(１)には単に小孔(10)を開設するだけでよいので、従来よりも構造が簡易となる。
【００２９】
尚、本発明の各部構成は上記実施の形態に限らず、特許請求の範囲に記載の技術的範囲内で種々の変形が可能である。例えばトーションバネ(７)のＵ字状部(75)を挿入すべきベースシャーシ(１)の小孔(10)は、ベースシャーシ(１)の内側領域を貫通する貫通孔に限らず、ベースシャーシ(１)の端面を切り欠いた切欠き等、Ｕ字状部(74)の先端(75)を開口縁に係止し得るものであれば、種々の開口部を採用することが出来る。
【図面の簡単な説明】
【００３０】
【図１】本発明に係るディスクプレーヤの斜視図である。
【図２】ベースシャーシ及びベースシャーシ上の構成部材を示す斜視図である。
【図３】トーションバネの斜視図である。
【図４】トーションバネの正面図である。
【図５】トーションバネをベースシャーシに装着する作業を説明する一部破断正面図である。
【図６】従来のディスクプレーヤの平面図である。
【図７】従来のディスクプレーヤのベースシャーシに装着されたトーションバネの斜視図である。
【図８】従来のディスクプレーヤにおいてトーションバネをベースシャーシに装着する作業を説明する斜視図である。
【符号の説明】
【００３１】
(１)  ベースシャーシ
(10)  小孔
(２)  ピックアップ装置
(３)  ターンテーブル
(４)  ガイドシャフト
(40)  ガイドシャフト
(54)  シャフト支持片
(７)  トーションバネ
(71)  コイル部
(72)  第１脚部
(73)  第２脚部
(74)  Ｕ字状部
(75)  先端
(82)  バネ保持片
【図１】
2007200515.tif 000003
【図２】
2007200515.tif 000004
【図３】
2007200515.tif 000005
【図４】
2007200515.tif 000006
【図５】
2007200515.tif 000007
【図６】
2007200515.tif 000008
【図７】
2007200515.tif 000009
【図８】
2007200515.tif 000010